(57)【特許請求の範囲】
【請求項１】
第１の移送経路と該第１の移送経路を横切る第２の移送経路とを備え、第１の移送経路において、物品の内部品質を測定する手段、物品の外観を撮影する手段、または物品の重量を求める手段の少なくとも１つを備え、物品の内部品質、外観、または重量の少なくとも１つによって第１の移送手段から物品を落下させる第２の移送手段を決定することによって、第１の移送経路から第２の移送経路へ物品の仕分けをおこないながら物品を移送し、複数の物品を１つの容器に収納する物品の仕分け収納設備であって、
前記第１の移送経路において、物品を載置して移動させる受け部材、および物品を第２の移送経路に落下させるために受け部材を傾倒させる傾倒手段を備えた複数の第１の移送手段と、
前記第２の移送経路において、容器に物品を投下する大出し口を有し、大出し口に物品を供給する主投下コンベヤ、および容器に物品を投下する小出し口を有し、小出し口に物品を供給する副投下コンベヤを備えた複数の第２の移送手段と、
前記大出し口から容器に投下された物品を秤量する主秤量機と、
前記小出し口から容器に投下された物品を秤量する副秤量機と、
前記主秤量機で秤量された値が第１の重量値になった後に、容器を副秤量機に移送させる手段と、
前記物品の移送および秤量を制御する制御手段と、
を備え、
前記制御手段は、それぞれの第２の移送手段に落下された物品の単位時間あたりの数によって第１の重量値を変更し、主秤量機で秤量された値が第１の重量値になった時に主投下コンベヤを停止させる物品の仕分け収納設備。
【請求項２】
前記受け部材に係合部材と被係合部材とが備えられ、係合部材と被係合部材との係合時に、物品の水平姿勢を保って移送し、係合部材と被係合部材との係合を解除すると受け部材が傾倒して物品を第２の移送手段に落下させる請求項１の物品の仕分け収納設備。
【請求項３】
前記傾倒手段がソレノイドコイルの磁力によって係合部材と被係合部材との係合を解除する手段を備え、該傾倒手段が第２の移送経路ごとに設けられ、前記決定された物品を落下させる第２の移送手段を受け部材が横切る時にソレノイドコイルに電流が流れ、
前記制御手段は、単位時間あたりの前記ソレノイドコイルに電流が流れることによって、第２の移送手段ごとに落下された物品の単位時間あたりの数を求める請求項２の物品の仕分け収納設備。
【請求項４】
前記副投下コンベヤは、物品の投下後に副秤量機での秤量が終了した後に、物品を小出し口から容器に投下させる請求項１から３のいずれかの物品の仕分け収納設備。
【請求項５】
第１の移送経路と該第１の移送経路を横切る第２の移送経路とを備え、第１の移送経路において、物品の内部品質を測定する手段、物品の外観を撮影する手段、または物品の重量を求める手段の少なくとも１つを備え、物品の内部品質、外観、または重量の少なくとも１つによって第１の移送手段から物品を落下させる第２の移送手段を決定することによって、第１の移送経路から第２の移送経路へ物品の仕分けをおこないながら物品を移送し、複数の物品を１つの容器に収納する物品の仕分け収納設備であって、
前記第１の移送経路において、物品を載置して移動させる受け部材、および物品を第２の移送経路に落下させるために受け部材を傾倒させる傾倒手段を備えた複数の第１の移送手段と、
前記第２の移送経路において、容器に物品を投下する大出し口を有し、大出し口に物品を供給する主投下コンベヤ、および容器に物品を投下する小出し口を有し、小出し口に物品を供給する副投下コンベヤを備えた複数の第２の移送手段と、
前記大出し口から容器に投下された物品を秤量する主秤量機と、
前記小出し口から容器に投下された物品を秤量する副秤量機と、
前記主秤量機で秤量された値が第１の重量値になった後に、容器を副秤量機に移送させる手段と、
前記物品の移送および秤量を制御する制御手段と、
を備え、
前記制御手段は、主秤量機で計測された単位時間あたりの重量変化によって第１の重量値を変更し、主秤量機で秤量された値が第１の重量値になった時に主投下コンベヤを停止させる物品の仕分け収納設備。
【請求項６】
前記受け部材に係合部材と被係合部材とが備えられ、係合部材と被係合部材との係合時に、物品の水平姿勢を保って移送し、係合部材と被係合部材との係合を解除すると受け部材が傾倒して物品を第２の移送手段に落下させる請求項５の物品の仕分け収納設備。
【請求項７】
前記傾倒手段がソレノイドコイルの磁力によって係合部材と被係合部材との係合を解除する手段を備え、該傾倒手段が第２の移送経路ごとに設けられ、前記決定された物品を落下させる第２の移送手段を受け部材が横切る時にソレノイドコイルに電流が流れる請求項６の物品の仕分け収納設備。
【請求項８】
前記副投下コンベヤは、物品の投下後に副秤量機での秤量が終了した後に、物品を小出し口から容器に投下させる請求項５から７のいずれかの物品の仕分け収納設備。
【請求項９】
第１の移送経路と該第１の移送経路を横切る第２の移送経路とを備え、第１の移送経路において、物品の内部品質を測定する手段、物品の外観を撮影する手段、または物品の重量を求める手段の少なくとも１つを備え、物品の内部品質、外観、または重量の少なくとも１つによって第１の移送手段から物品を落下させる第２の移送手段を決定することによって、第１の移送経路から第２の移送経路へ物品の仕分けをおこないながら物品を移送し、複数の物品を１つの容器に収納する物品の仕分け収納設備であって、
前記第１の移送経路において、物品を載置して移動させる受け部材、および物品を第２の移送経路に落下させるために受け部材を傾倒させる傾倒手段を備えた複数の第１の移送手段と、
前記第２の移送経路において、容器に物品を投下する大出し口を有し、大出し口に物品を供給する主投下コンベヤ、容器に物品を投下する小出し口を有し、小出し口に物品を供給する副投下コンベヤ、および物品の落下位置から主投下コンベヤおよび副投下コンベヤの上流端まで物品を移送する横引きコンベヤを備えた複数の第２の移送手段と、
前記大出し口から容器に投下された物品を秤量する主秤量機と、
前記小出し口から容器に投下された物品を秤量する副秤量機と、
前記主秤量機で秤量された値が第１の重量値になった後に、容器を副秤量機に移送させる手段と、
前記物品の移送および秤量を制御する制御手段と、
を備え、
前記制御手段は、主秤量機または副秤量機で計測された単位時間あたりの重量変化によって主投下コンベヤ、副投下コンベヤ、および横引きコンベヤの少なくとも１つにおける物品の移送速度を変更し、主秤量機で秤量された値が第１の重量値になった時に主投下コンベヤを停止させ、副秤量機で秤量された値が容器に収納すべき規定重量になった時に副投下コンベヤを停止させる物品の仕分け収納設備。
【請求項１０】
前記受け部材に係合部材と被係合部材とが備えられ、係合部材と被係合部材との係合時に、物品の水平姿勢を保って移送し、係合部材と被係合部材との係合を解除すると受け部材が傾倒して物品を第２の移送手段に落下させる請求項９の物品の仕分け収納設備。
【請求項１１】
前記傾倒手段がソレノイドコイルの磁力によって係合部材と被係合部材との係合を解除する手段を備え、該傾倒手段が第２の移送経路ごとに設けられ、前記決定された物品を落下させる第２の移送手段を受け部材が横切る時にソレノイドコイルに電流が流れる請求項１０の物品の仕分け収納設備。
【請求項１２】
前記副投下コンベヤは、物品の投下後に副秤量機での秤量が終了した後に、物品を小出し口から容器に投下させる請求項９から１１のいずれかの物品の仕分け収納設備。
【発明の詳細な説明】
【技術分野】
【０００１】
本発明は、物品の搬送途中で仕分けをおこなう物品の仕分け収納設備に関するものである。
【背景技術】
【０００２】
従来、青果物を等級などに応じて仕分けをおこない、箱などの容器に収納する設備が開発および開示されている（下記の特許文献１、２など）。設備は、複数の第１の移送手段および複数の第２の移送手段が備えられる。第１の移送手段の途中で青果物の等級などがチェックされ、等級などに応じて青果物が第２の移送手段に落下される。すなわち、第２の移送手段を選択することによって物品の仕分けがなされる。
【０００３】
第２の移送手段には主投下コンベヤと副投下コンベヤが備えられている。青果物を収納する容器が各コンベヤの下流端の下方に配置される。主投下コンベヤは、副投下コンベヤよりも高速に物品を移送させて、副投下コンベヤよりも多くの物品を投下させる。容器に収納される青果物の量が規定されているため、収納時に青果物の重量を計量する。主投下コンベヤで投下時には主秤量機で重量を計量し、副投下コンベヤで投下時には副秤量機で重量を計量する。主秤量機で第１の重量値になったとき、主投下コンベヤが停止される。その後、副秤量機で容器の規定された重量値（第２の重量値）になったとき、副投下コンベヤが停止される。
【０００４】
しかし、各等級の青果物がまんべんなく搬送されるとは限らない。青果物の生産者などによって等級に偏りがあり、第２の移送手段で搬送される青果物の数量に偏りが生じる。ある第２の移送手段に特定の等級の青果物が集中すると、主投下コンベヤ６４から投下後、容器１８に収納されるまでの空中にある青果物１２'が多くなる（図５）。主秤量機７２で計量された所望の値で主投下コンベヤ６４を停止させても、大量の青果物１２が容器１８に収納される。容器１８に規定された重量を超えた量の青果物１２を収納され、人手によって容器１８から青果物１２を取り除く必要が生じる。
【０００５】
また、生産から消費までを追跡できるようにするトレーサビリティーが求められている。その場合、複数の生産者の青果物１２を一気に搬送させるのではなく、一人の生産者の青果物１２を搬送させている時は、他の生産者の青果物１２は搬送させないことが好ましい。そのため、上述したような搬送の偏りが生じやすい。
【０００６】
主投下コンベヤ６４を停止させる第１の重量値は、生産者によって青果物１２の等級を予測し、青果物１２の移送前に第１の重量値を決定することがおこなわれている。例えば、表１のように第２の移送手段ごとに主投下コンベヤ６４と副投下コンベヤを停止させる第１の重量値と第２の重量値を決定しておく。
【０００７】
【表１】
0005760420.tif 000002
【０００８】
しかし、気候や日時などの種々の要因によって青果物１２の等級が変化し、第１の重量値を所望の値にすることは難しい。例えば、表１の５番の第２の移送手段に青果物１２が集中すれば、９ｋｇで主投下コンベヤ６４を停止させても、容器１８に収納されていない落下中の青果物１２が多くなるため、１０ｋｇを超えるおそれがある。副投下コンベヤを停止させる第２の重量値、すなわち容器１８に収納すべき規定の重量値である１０ｋｇを超え、人手によって容器１８から青果物１２を取り除く必要がある。
【０００９】
また、１番や２番の第２の移送経路には青果物１２が集中すると予測した結果、主投下コンベヤ６４を停止させる第１の重量値を軽くしている。しかし、実際に青果物１２が集中しなければ、主投下コンベヤ６４を停止してから落下する青果物１２の量が少なくなり、副投下コンベヤで投下させなければならない青果物１２の量が多くなる。副投下コンベヤは主投下コンベヤ６４よりも青果物１２の移送量が少ないため、青果物１２の収納が完了するまでの時間が長くなり、収納効率が低下する。
【先行技術文献】
【特許文献】
【００１０】
【特許文献１】特開平６−７７４８号公報
【特許文献２】特開２０００−８５７１６号公報
【発明の概要】
【発明が解決しようとする課題】
【００１１】
本発明は、規定された重量を超えずに、効率よく物品を容器に収納するための物品の仕分け収納設備を提供することを目的とする。
【課題を解決するための手段】
【００１２】
物品の仕分け収納設備は、第１の移送経路と該第１の移送経路を横切る第２の移送経路とを備え、第１の移送経路から第２の移送経路へ物品の仕分けをおこないながら物品を移送し、複数の物品を１つの容器に収納する。第１の移送経路には、物品を載置して移動させる受け部材、および物品を第２の移送経路に落下させるために受け部材を傾倒させる傾倒手段を備えた複数の第１の移送手段が平行して配置される。第２の移送経路には、容器に物品を投下する大出し口を有し、大出し口に物品を供給する主投下コンベヤ、および容器に物品を投下する小出し口を有し、小出し口に物品を供給する副投下コンベヤを備えた複数の第２の移送手段が平行して配置される。また、大出し口から容器に投下された物品を秤量する主秤量機が備えられ、小出し口から容器に投下された物品を秤量する副秤量機が備えられ、主秤量機で秤量された値が第１の重量値になった後に、容器を副秤量機に移送させる手段が備えられる。物品の移送および秤量を制御するために、制御手段が備えられる。
【００１３】
物品は第１の移送経路から第２の移送経路に移送されるとき、物品の内容によって第２の移送経路が選択される。制御手段は、それぞれの第２の移送手段に落下された物品の単位時間あたりの数によって第１の重量値を変更し、主秤量機で秤量された値が第１の重量値になった時に主投下コンベヤを停止させる。
【００１４】
第１の移送経路において、物品の内部品質を測定する手段、物品の外観を撮影する手段、または物品の重量を求める手段の少なくとも１つを備えている。制御手段は、物品の内部品質、外観、または重量の少なくとも１つによって第１の移送手段から物品を落下させる第２の移送手段を決定する。
【００１５】
受け部材に係合部材と被係合部材とが備えられる。係合部材と被係合部材との係合時に、物品の水平姿勢を保って移送し、係合部材と被係合部材との係合を解除すると受け部材が傾倒して物品を第２の移送手段に落下させる。
【００１６】
傾倒手段がソレノイドコイルの磁力によって係合部材と被係合部材との係合を解除する手段を備える。傾倒手段が第２の移送経路ごとに設けられ、前記決定された物品を落下させる第２の移送手段を受け部材が横切る時にソレノイドコイルに電流が流れる。制御手段は、単位時間あたりの前記ソレノイドコイルに電流が流れることによって、第２の移送手段ごとに落下された物品の単位時間あたりの数を求める。
【００１７】
副投下コンベヤは、物品の投下後に副秤量機での秤量が終了した後に、物品を小出し口から容器に投下させる。
【００１８】
制御手段は、主秤量機で計測された単位時間あたりの重量変化によって第１の重量値を変更し、主秤量機で秤量された値が第１の重量値になった時に主投下コンベヤを停止させてもよい。また、主秤量機で計測された単位時間あたりの重量変化によって第２の移送手段での物品の移送速度を変更してもよい。
【発明の効果】
【００１９】
本発明は、主投下コンベヤを停止する物品の重量を柔軟に変更することができる。そのため、特定の第２の移送手段に物品が集中したとしても、容器に収納される物品を規定量にすることができる。物品の収納後に容器から物品を取り除く手間が省け、物品の出荷までの効率が上がる。副投下コンベヤで投下させる物品の量が増加することを防止できるため、物品の容器への収納速度を高く保つことができる。
【図面の簡単な説明】
【００２０】
【図１】仕分け収納設備の第１の移送経路から第２の移送経路を示す図である。
【図２】仕分け収納設備の第２の移送経路および各秤量機を示す図である。
【図３】図１のＡ−Ａ線の断面図である。
【図４】制御手段の構成を示すブロック図である。
【図５】主投下コンベヤを停止後に容器に物品が入る様子を示す図である。
【発明を実施するための形態】
【００２１】
本発明の物品の仕分け収納設備について図面を用いて説明する。各実施例の物品は種々の種類に仕分けされるものであり、例えば果物や野菜などの青果物である。
【実施例１】
【００２２】
図１、図２に示す物品の仕分け収納設備１０は、物品１２を第１の移送経路１４から第２の移送経路１６を移送して、容器１８に収納させるものである。物品１２は、第１の移送経路１４から第２の移送経路１６に移送される時に仕分けされる。第２の移送経路１６の下流端で物品１２が容器１８に収納される。第１の搬送経路１４は図中のＸ方向を向いており、第２の搬送経路１６はＹ方向を向いている。なお、図２では、第２の搬送経路１６に備えられた手段を示すために、物品１２を省略している。
【００２３】
第１の移送経路１４には、物品１２の移送経路に沿って平行に並べられた複数の第１の移送手段２０が備えられる。第１の移送手段２０は、物品１２を載置して移動させる受け部材２２、および物品１２を第２の移送経路１６に落下させるために受け部材２２を傾倒させる傾倒手段２４を備える（図３）。
【００２４】
各第１の移送手段２０の一端には、駆動スプロケットが設けられる。駆動スプロケットの駆動源としてモータが使用される。モータによって、駆動スプロケットが回転する。また、各第１の移送手段２０の他端には従動スプロケットを設ける。駆動スプロケットと従動スプロケットには、無端チェーン２６がかみ合わされ、無端チェーン２６が第１の移送経路１４に沿って張られる。駆動スプロケットが回転することによって、無端チェーン２６が第１の移送経路１４に沿って周回する。
【００２５】
複数の受け部材２２が無端チェーン２６に取り付けられている。受け部材２２が第１の移送経路１４に沿って並べられることとなる。無端チェーン２６の周回によって各受け部材２２も周回する。後述するように、パルス数または計数値によって物品１２または受け部材２２の位置が認識されるようにする。複数の受け部材２２にわたって物品１２が載せられる。
【００２６】
受け部材２２は、ホルダー２８に連結ピン３０を介して回転可能に連結され、水平姿勢で物品１２を受け止める。ホルダー２８は無端チェーン２６の側方に取り付けられた棒状体３２に取り付けられており、無端チェーン２６が周回することによって、ホルダー２８と共に受け部材２２が周回する。安全性のために、無端チェーン２６の周囲にはカバー３４が設けられる。
【００２７】
ピン等の被係合部材３６が受け部材２２の側面に固定され、フック３８を有する係合部材４０がホルダー２８に回動ピン４２を介して回転可能に連結されている。受部材２２が水平姿勢をとるとき、係合部材４０のフック３８が受け部材２２の被係合部材３６に係合する。受け部材２２は無端チェーン２６の走行に従い第２の移送経路１６の上方を通過する。第２の移送経路１６を通過する時に傾倒手段２４によって受け部材２２を傾倒させることにより、物品１２を第２の移送経路１６に落下させる。
【００２８】
傾倒手段２４は、ソレノイドコイルを利用した駆動手段４４が利用できる。駆動手段４４に内蔵されたソレノイドコイルに電流が流れることによって、プッシュロッド４６が下方に移動して、作動レバー４８がピン５０を支点として下方に押し下げる。このとき、作動レバー４８の頭部５２がピン４２を中心として係合部材４０をα方向に回転させる。この回転によって、被係合部材３６と係合部材４０のフック３８が離れる。受け部材２２は連結ピン３０を支点としてβ方向に回転するため、受け部材２２が下方に傾倒し、物品１２が落下する。物品１２は、複数の受け部材２２にわたって載せられているので、その全ての受け部材２２が同時に傾倒するようにする。傾倒した受け部材２２は、第１の移送経路１４の上流端に戻るまでに、カムレールによって元の状態に戻される。
【００２９】
第２の移送経路１６は、第１の移送経路１４の下方を横切っている。第２の移送経路１６には、複数の第２の移送手段６０が第２の移送経路１６に沿って平行に並べられている。傾倒手段２４は、第１の移送手段２０が各第２の移送手段６０を横切るところに設けられている。第１の移送手段２０から第２の移送手段６０に物品１２を落下させる時に、落下させる第２の移送手段６０を選択することによって、物品１２の仕分けをおこなうことができる。第２の移送手段６０ごとに移送される物品１２の等級などが異なることとなるが、複数の第２の移送手段６０で移送される物品１２を同じ等級などにして、順番に第２の移送手段６０に落下させるようにしても良い。
【００３０】
物品１２の仕分けをおこなうために、第１の移送手段２０に、物品１２の内部品質を測定する手段、物品の外観を撮影する手段、または物品の重量を求める手段の少なくとも１つを備える。物品１２の内部品質を測定する手段は、光源および受光素子を備え、必要に応じて外部からの光を遮光する暗室も備える。例えば近赤外線の光透過率を測定することによって、糖度や酸度などの内部品質を測定することができる。物品１２の外観を撮影する手段は、ＣＣＤやＣＭＯＳのイメージセンサを使用したデジタルカメラである。撮影された画像から物品１２の色彩、形状、傷などの外観を画像解析する。物品１２の内部品質、外観、または重量の少なくとも１つによって、落下させる第２の移送手段６０を選択する。
【００３１】
第１の搬送手段２０に、物品１２の位置を把握するための手段を設ける。その手段として、パルスを発生させるパルスエンコーダ、および所定の位置で物品１２を検出する光スイッチを備える。光スイッチは、発光ダイオードなどの発光素子と受光ダイオードなどの受光素子からなり、物品１２によって光が遮られたことを検出するものである。パルスエンコーダが従動スプロケットの回転軸に取り付けられ、回転軸の回転に応じてパルスを発生させる。光スイッチは、物品１２が載せられる位置から少し下流であり、他の手段よりも上流に設けられる。光スイッチがオンになった後にパルスエンコーダが計数したパルス数によって、光スイッチがオンになってからの移動距離が求められる。光スイッチから各傾倒手段２４までの距離が設計時に既知となっているため、傾倒手段２４ごとに駆動させるパルス数が異なる。所望の傾倒手段２４を駆動させるパルス数になったとき、後述するような通信によって傾倒手段２４を駆動させるようにする。
【００３２】
また、パルスを使用する以外に、受け部材２２に板体や棒体などの被検出部材を設け、上記の光スイッチのある位置、内部品質を測定する手段などのある位置、傾倒手段２４のある位置に被検出部材を検出する検出装置を設けてもよい。検出装置としては、接触センサーや非接触センサーがあげられる。非接触センサーとして、上記の光スイッチと同様の物を使用してもよい。検出装置は、被検出部材を検出して、その数を計数することによって、いずれの受け部材２２が通過中であるかが分かる。光スイッチで物品１２を検出したときに検出装置で計数された値によって、いずれの受け部材２２に物品１２が載せられているかが分かる。後述するように、各傾倒手段２４は、コンピュータから受信した計数値になったときに、傾倒手段２４を駆動させることによって、所望の受け部材２２を傾倒させることができる。
【００３３】
計数値は、無端チェーン２６が１周するたびにリセットされるようにする。したがって、各受け部材２２には決まった計数値が対応することとなる。リセットする方法としては、所定の計数値になったときにリセットする方法、基準となる受け部材２２に特定の被検出部材を設けておき、その特定の被検出部材を検出装置で検出したときにリセットする方法が挙げられる。
【００３４】
第２の移送手段６０は、容器１８に物品１２を投下する大出し口６２を有し、大出し口６２に物品１２を供給する主投下コンベヤ６４、および容器１８に物品１２を投下する小出し口６６を有し、小出し口６６に物品１２を供給する副投下コンベヤ６８を備える。主投下コンベヤ６４と副投下コンベヤ６８は並行して設けられている。また、物品１２の落下箇所から各コンベヤ６４，６８までの搬送をおこなう横引きコンベヤ７０も備える。各コンベヤ６４、６８、７０は、ベルトコンベヤやローラーコンベヤなどが挙げられる。主投下コンベヤ６４と副投下コンベヤ６８は、ｙ方向に移送する部分６４ｙ、６８ｙとｘ方向に移送する部分６４ｘ、６８ｘとで構成されている。
【００３５】
主投下コンベヤ６４では、容器１８に収納すべき規定量以下であり、かつ規定量に近い値まで複数の物品１２を投下させる。この規定量に近い値を第１の重量値、規定量を第２の重量値として以下説明する。大出し口６２の下方に主秤量機７２が設けられ、主投下コンベ６４から物品１２が投下されて容器１８に収納されるとき、容器１８は主秤量機７２の上に配置される。物品１２の総重量が第１の重量値になるまで物品１２が投下される。第１の重量値になった後、主投下コンベヤ６４を停止し、容器１８を移動させて、小出し口６６から容器１８に物品１２を投入する。
【００３６】
主秤量機７２に容器１８が載せられて物品１２が投下される前に、容器１８の重量を計測して、主秤量機７２と副秤量機７４は計量する重量から容器１８の重量を減算するようにする。なお、容器１８の重量を含めて、第１の重量値と第２の重量値を規定しても良い。
【００３７】
第１の重量値は、第２の移送手段６０に投下された単位時間あたりの物品１２の数量によって変更する。単位時間あたりの物品１２の数量が多い場合は、主投下コンベヤ６４を停止したときに空中にあり、停止後に容器１２に入る物品１２'の数量も多くなるため（図５）、第１の重量値を下げる。反対に、物品１２の数量が少なければ、第１の重量値を上げる。一定時間ごとに単位時間あたりの数量を求めても良いし、常時単位時間あたりの数量を求めても良い。第１の重量値の変更は、後述するように、コンピュータや制御盤によっておこなう。
【００３８】
また、求められた第１の重量値を投下のために使用する。第１の重量値は、物品１２を投下する直前に決定して、投下が終了するまで第１の重量値を固定する。第２の移送手段６０に物品１２が投下されてから大出し口６２に物品１２が到達するまでの時間を考慮して、その時間分だけ先に第２の移送手段６０に落下された物品１２の単位時間あたりの数量から求めた第１の重量値を使用することが好ましい。なお、第１の重量値を常時変更しながら物品１２を投下させても良い。
【００３９】
小出し口６６の下方に副秤量機７４が設けられ、副投下コンベヤ６８から物品１２が投入されて容器１８に収納されるとき、容器１８は副秤量機７４の上に配置される。１つの物品１２が容器１８内に投下され、副秤量機７４で重量測定がされた後、次の物品１２が投下されるように、副投下コンベヤ６８での物品１２の投下速度を調節する。物品１２の総重量が第２の重量値になったときに物品１２の投下を停止することができ、第２の重量値だけの物品１２を容器１８に収納することができる。副投下コンベヤ６８の速度を調節する以外に、ゲートを設けても良い。副秤量機７４で重量測定ができたときにゲートを開けて物品１２を投下し、ゲートを閉じる。
【００４０】
上記のように物品１２の重量を計量した後に次の物品１２を投下すると、第２の重量値になるまで時間がかかりすぎる場合がある。そこで、副投下コンベヤ６８での物品１２の移送速度を２段階で変更してもよい。最初に、第２の重量値と計量値との差が一定範囲になるまでは主投下コンベヤ６４と同様に連続して物品１２を投下させる。次に、上記差が一定範囲に入れば、確実に物品１２の重量を第２の重量値にする必要があるので、上記のように物品１２の移送速度を遅くして、１つずつ物品１２を投下する。
【００４１】
なお、物品１２を等級分けしたとしても、重量は個々に微妙に異なるため、必ず第２の重量値にすることができない。そのため、第２の重量値は一定の範囲を含むようにして、この範囲に入ったときに物品１２の投下を終了する。
【００４２】
副投下コンベヤ６８よりも主投下コンベヤ６４を幅広にし、搬送できる物品１２の量を多くする。主投下コンベヤ６４と副投下コンベヤ６８の上流端が揃えられている。第２の移送手段６０に物品１２が投下されたあと、主投下コンベヤ６４と副投下コンベヤ６８の上流端まで物品１２が搬送されるが、確率的に主投下コンベヤ６４の方に多くの物品１２が移送される。また、小出し口６６よりも大出し口６２の方が広く、一度に複数の物品１２を投下させることができる。
【００４３】
主投下コンベヤ６４と副投下コンベヤ６８とが並べられているため、主秤量機７２と副秤量機７４も並べられており、主秤量機７２の上で物品１２が収納されたあと、副秤量機７４の上に容器１８を移動させることができる。物品１２を収納させやすくするために、主秤量機７２と副秤量機７４は容器１８を傾斜させる手段を備えていても良い。
【００４４】
容器１８は、段ボール箱やコンテナなどである。容器１８を主秤量機７２の隣接場所まで移送し、待機させる装置を備える。この装置はベルトコンベヤ、ローラーコンベヤ、または容器１８を押し出すプッシャーなどであり、主秤量機７２の隣接場所まで容器１８が到達すれば、容器１８の移送が停止される。
【００４５】
また、容器１８は主秤量機７２から副秤量機７４に移動させるために、容器１８を主秤量機７２から副秤量機７４に移送させる装置も備える。主秤量機７４の上で物品１２を投下後、主秤量機７２の横で待機している容器１８と一緒に副秤量機７４に向けて押し出すプッシャーなどの装置であってもよい。さらに副秤量機７４で物品１２が第２の重量値になった後、容器１８を副秤量機７４の外に移動させるためにローラなどの装置を副秤量機７４の容器１８の載置部分に備える。副秤量機７４から他の装置に向けて容器１８を搬送させる。
【００４６】
上述した各手段の動作を制御する制御手段８０を備える（図４）。制御手段８０は、第１の移送手段２０を移送される物品１２の内容によって仕分けを決定するコンピュータ８２、決定された仕分けにしたがって物品１２を第２の搬送手段６０に移送させるために傾倒手段２４に取り付けられた制御盤８４、第２の移送手段６０における主秤量機７２および副秤量機７４での計測や主投下コンベヤ６４および副投下コンベヤ６８の駆動を制御する制御盤８６を備える。各傾倒手段２４および各第２の移送手段６０に制御盤８４，８６が設けられるため、それらを統括する制御盤８８，９０も設けられる。これらの制御盤８４，８６，８８，９０は、ハードウェアまたはソフトウェアの少なくとも１つによって各手段を説明するような動作をおこなうように制御するものである。コンピュータ８２および各制御盤８４，８６，８８，９０は通信機器によって、相互に通信できる。
【００４７】
上記のように第２の移送手段６０の制御盤８６によって第１の重量値を変更する。変更の方法としては、単位時間あたりの物品１２の数量に応じた第１の重量値を予め決定しておき、実際に受信した単位時間あたりの物品１２の数量を第１の重量値に変換する方法が挙げられる。第１の重量値を予め決定するに当たって、物品１２の数、大きさ、重さ、種類、大出し口６２の広さ、主投入コンベヤ６４の移送速度の少なくとも１つから決定しても良い。
【００４８】
次に、上記の仕分け収納設備１０を使用した仕分けの方法について説明する。（１）第１の移送手段２０の上流端において、受け部材２２に物品１２を載置する。載置の方法は、自動または手動のいずれであっても良い。それぞれの第１の移送手段２０において、物品１２が順番に移送される。
【００４９】
（２）物品１２の載置直後に光スイッチによって、物品１２が載せられたことを検出する。物品１２を検出したときに信号をコンピュータ８２に送ることにより、コンピュータ８２では受け部材２２に物品１２が載せられたことが認識できる。パルス数ではなく計数値を使用する場合であれば、物品１２を検出したときの被検出部材の計数値によって、どの受け部材２２に物品１２が載せられているかが分かる。
【００５０】
（３）物品１２は、第１の移送手段２０を移送中に物品１２の内部品質などが測定される。回転駆動装置から内部品質を測定する手段などの距離が設計時に規定であるため、パルス数から検査する手段を通過している受け部材２２が分かり、どの物品１２を検査したかが分かる。検査された値はコンピュータ８２に送られ、コンピュータ８２では、検査の値に応じて移送すべき第２の移送手段６０が決定される。第２の移送手段６０が決定されれば、傾倒手段２４を駆動させるためのパルス数も決定される。なお、パルスを使用せずに計数をおこなう場合であっても、計数値によって、どの受け部材２２に載せられた物品１２を検査したかが分かり、いずれの傾倒手段２４に計数値を送ればよいかが決定される。
【００５１】
（４）傾倒手段２４を駆動させるパルス数になったとき、コンピュータ８２から上記のように決定された傾倒手段２４の制御盤８４に、受け部材２２を傾倒させるための信号を送る。また、計数値を使用している場合は、決定された傾倒手段２４に計数値を送る。傾倒手段２４は、受け部材２２を傾倒させるための信号を受けたとき、または被検出手段を検出手段で計数している値が受信した計数値になったとき、受け部材２２を傾倒させる。受け部材２２が傾倒されることによって、受け部材２２に載せられた物品１２が第２の移送手段６０に落下する。
【００５２】
（５）傾倒手段２４の制御盤８４は、傾倒させたことを示す信号を統括制御盤８８，９０を介して、物品１２を投下させた第２の移送手段６０の制御盤８６に送る。第２の移送手段６０の制御盤８６は、第２の移送手段６０ごとの単位時間あたりの物品量を求める。
【００５３】
（６）第２の移送手段６０の制御盤８６は、物品１２の単位時間あたりの数量にあわせて、第１の重量値を変更する。単位時間あたりの物品１２の数量が多い場合は、第１の重量値を下げる。一方、物品１２の数量が少なければ、第１の重量値を上げる。例えば、表２のように、５つの第２の移送手段６０が備えられているとする。第１時間ではいずれも同じ第１の重量値（８ｋｇ）で物品１２の投下を停止するとする。その後、第２時間では、１番と２番の第２の移送手段６０に物品１２が集中したため、第１の重量値を８ｋｇから７ｋｇに下げている。５番の第２の移送手段６０への物品１２が少ないため、第１の重量値を８ｋｇから９ｋｇに上げている。
【００５４】
【表２】
0005760420.tif 000003
【００５５】
また、傾倒手段２４の制御盤８４からコンピュータ８２に傾倒させたことを示す信号を送信し、コンピュータ８２で第１の重量値を変更しても良い。第１の重量値を第２の移送手段６０の制御盤８６に送信する。
【００５６】
（７）容器１８を主秤量機７２の上に移動させ、主投下コンベヤ６４から容器１８に物品１２を投下する。主秤量機７２で計量されている値が第１の重量値になったとき、主投下コンベヤ６４を停止する。主投下コンベヤ６４を停止してからも容器１８に入る物品１２'が有るため、容器１８の中には、容器１８の中に収納すべき規定された重量に近く、かつこの重量よりも小さい重量の物品１２が収納される。
【００５７】
（８）容器１８を主秤量機７２から副秤量機７４へと移動させる。このとき、主秤量機７２の横で待機している空の容器１８と一緒に主秤量機７２の上の容器１８を副秤量機７４に向けて押して移動させる。空の容器１８が主秤量機７２の上に配置され、物品１２が入れられた容器１８が副秤量機７４の上に配置される。空の容器１８には、上記のように主投下コンベヤ６４から物品１２が投下される。
【００５８】
（９）副秤量機７４で物品１２の重量を測定しながら、物品１２の重量が第２の重量値になるまで副投下コンベヤ６８から物品１２を投下する。第２の重量値になったときに、副投下コンベヤ６８の駆動を停止する。副投下コンベヤ６８は物品１２の重量が測定されるたびに物品１２を投下するようになっているため、副投下コンベヤ６８の停止後に物品１２が投下されることはない。
【００５９】
（１０）副投下コンベヤ６８で物品１２を投下後、物品１２が収納された容器１８を他の移送手段に移送させる。容器１８の封止などがおこなわれ、出荷される。
【００６０】
以上のように、第２の移送手段６０に落下された物品１２の数量によって、主投下コンベヤ６４を停止させる第１の重量値を変更しているため、物品１２の重量が超過することを防止できる。物品１２を容器１８に収納した後で、手作業によって超過した分の物品１２を取り出す必要がない。物品１２の仕分けをしてから収納が完了するまでの効率が向上する。物品１２が少ない場合に、第１の重量値を上げているため、移送速度の遅い副投下コンベヤ６８から投下される物品１２の数が少なく保つことができるため、物品１２の収納速度を高く保つことができる。
【実施例２】
【００６１】
実施例１では、第２の移送手段６０に投下した物品１２の数量を利用して、物品１２の重量が超過することを防止したが、主秤量機７２で計量される値から物品１２の重量が超過することを防止しても良い。
【００６２】
物品１２を移送して、物品１２の重量を計量するために設けられた第１の移送手段２０、第２の移送手段６０、各秤量機７２，７４は実施例１と同じである。また各手段を動作させるためにコンピュータ８２や制御盤８４，８６，８８，９０が実施例１と同じように設けられる。実施例２では、コンピュータ８２や制御盤８４，８６，８８，９０がおこなう各手段の動作制御が異なる。
【００６３】
実施例２では、実施例１でおこなった第２の移送手段６０に投下した物品１２の数量は求めない。その代わりに、主秤量機７２での計量される物品１２の単位時間あたりの変化量（微分値）を求める。この変化量によって第１の重量値を変更させる。すなわち、変化量が多い場合は大量の物品１２が投下されているため第１の重量値を低くする。反対に、変化量が小さければ物品１２の投下数量が少ないため、第１の重量値を高くする。主投下コンベヤ７２は第１の重量値になれば物品１２の移送を停止して、その後、副秤量機７４に容器１８を送る。
【００６４】
第１の重量値は常に変更しても良いし、一定期間ごとに変更しても良い。また、物品１２を投下している一定の時間だけ変化量を求めて、その変化量にあわせて第１の重量値を変更するようにしても良い。
【００６５】
実施例２においても実施例１と同様に、第１の重量値を変更することによって、物品１２の重量が超過することを防止できる。
【実施例３】
【００６６】
実施例１と実施例２を組み合わせても良い。第２の移送手段６０に投下された物品１２の数量から求めた第１の重量値（実施例１の第１の重量値）と主秤量機７４での重量の変化量によって求めた第１の重量値（実施例２の第１の重量値）とをコンピュータ８２で比較する。通常、いずれの第１の重量値も同じになる。または、第２の移送手段６０に物品１２を投下した後に容器１８に収納されるまで時間がかかるため、第２の移送手段６０に投下した物品１２の数量から求めた第１の重量値が変化した後の一定時間経過後、主秤量機７２での重量の変化量によって求めた第１の重量値が同じように変化する。
【００６７】
上記の比較の結果、第１の重量値が同じであるか、同じように変化しなければ、物品１２の移送に異常が生じているか、物品１２の仕分け設備に異常が生じていることが分かる。コンピュータ８２から警報装置に警報を発する信号を送ったり、設備の停止をおこなう。
【００６８】
なお、第１の重量値の変更は、第２の移送手段６０に投下された物品１２の数量から求めた第１の重量値と主秤量機７２での重量の変化量から求めた第１の重量値のいずれを選択しても良い。
【実施例４】
【００６９】
実施例１では、副投下コンベヤ６８を２段階で速度制御した場合、第２の重量値と計量値との差が一定範囲内になるまで、副投下コンベヤ６８は次々と物品１２を投下させていた。第１の重量値の変更方法と同じように、物品１２の第２の移送手段６０への単位時間あたりの投下数から上記の差を変更しても良い。また、第１の重量値の変更方法と同じように、計量値の単位時間あたりの重量変化から上記の差を変更しても良い。さらに、実施例３と同様に、単位時間あたりの投下数および計量値の単位時間あたりの重量変化の両方を使用して、異常を検出するようにしても良い。
【実施例５】
【００７０】
実施例１では、第２の移送手段６０に投下された物品１２の数量から第１の重量値を求めていたが、コンピュータ８２で求めた物品１２を投下する第２の移送手段６０の数によって第１の重量値を求めても良い。確実に決定された第２の移送手段６０に物品１２を投下すれば、実施例１と同様に第１の重量値を変更することができる。
【００７１】
また、実施例４においても、第２の移送手段６０へ投下された物品１２の数量から上記差を変更していたが、コンピュータ８２で求めた物品１２を投下する第２の移送手段６０の数によって上記差を求めても良い。
【実施例６】
【００７２】
上記実施例において第１の重量値を変更する以外に、第２の移送経路１６における物品１２の移送速度を変更することによって、容器１８に規定量の物品１２を収納させるようにしても良い。物品１２の移送速度を変更するためには、（Ａ）横引きコンベヤ７０の移送速度の変更、（Ｂ）主投入コンベヤ６４の移送速度の変更が挙げられる。
【００７３】
上記（Ａ）と（Ｂ）のいずれも、主秤量機７２での単位時間あたりの重量変化を計測し、重量変化に応じてコンベヤ７０、６４での物品１２の移送速度を変更する。例えば、単位時間あたりの重量変化の既定値を決定しておく。この既定値は、主秤量機７２での計量値が第１の重量値になり、主投下コンベヤ６４を停止したときに、所望量の物品１２が容器１８に収納される値である。
【００７４】
重量変化が既定値よりも大きいときは、物品１２が大量に移送されている。第１の重量値で主投下コンベヤ６４を停止したときに多数の物品１２'が空中にある。主投下コンベヤ６４の停止後に容器１８に入る物品１２'の数量も多くなる。そのため、主投下コンベヤ６４または横引きコンベヤ７０の少なくとも１つでの物品１２の移送速度を遅くして、単位時間あたりに容器１８に収納される物品１２の量を少なくする。すなわち、大きくなった重量変化を既定値に戻すようにする。
【００７５】
また、重量変化が既定値よりも小さいときは、物品１２の移送量が少ないため、容器１８に物品１２を収納するのに時間が掛かる。主投下コンベヤ６４または横引きコンベヤ７０の少なくとも１つでの物品１２の移送速度を早くして、単位時間あたりに容器１８に収納される物品１２の量を多くする。すなわち、小さくなった重量変化を既定値に戻すようにする。
【００７６】
以上のように、横引きコンベヤ７０または主投下コンベヤ６４の少なくとも１つでの物品１２の移送速度を変更することによって、単位時間あたりに容器１８に収納される物品１２の量を一定にすることができる。第１の重量値になり、主投下コンベヤ６４を停止させたときに、常に一定量の物品１２を容器１８に収納することができる。
【実施例７】
【００７７】
上記（Ａ）、（Ｂ）の方法以外に、（Ｃ）副投下コンベヤ６８での物品１２の移送速度を変更するようにしてもよい。上記のように副投下コンベヤ６８を物品１２の移送速度を２段階で変更する場合、最初の移送速度のときに、単位時間あたりの物品１２の重量変化を求める。単位時間あたりの重量変化に基づいて、副投下コンベヤ６８での物品１２の移送速度を変更する。重量変化が既定値よりも大きいときは、第２の重量値と計測値との差が一定範囲内に入ってから、移送速度を遅くしても大量の物品１２を投下させるおそれがある。そのため、物品１２の移送速度を遅くする。重量変化を既定値に戻すことができる。
【００７８】
また、重量変化が既定値よりも小さいときは、物品１２を投下する時間が長くなり、容器１８に物品１２を収納する効率が悪化する。物品１２の移送速度を速くして、重量変化を既定値に戻す。
【実施例８】
【００７９】
上記各実施例は、第１の重量値を変更するかコンベヤ６４、６８、７０での物品１２の移送速度を変更したが、両方を組み合わせても良い。第１の重量値を変更しながら、物品１２の移送速度を変更する。物品１２の量が極端に多くなったときや少なくなったときに、いずれか一方の変更では制御が難しい場合であっても、両方を変更することによって容器１８に規定量の物品１２を収納しやすくなる。
【００８０】
その他、本発明は、その主旨を逸脱しない範囲で当業者の知識に基づき種々の改良、修正、変更を加えた態様で実施できるものである。
【符号の説明】
【００８１】
１０：物品の仕分け収納設備
１２：物品（青果物）
１４：第１の移送経路
１６：第２の移送経路
１８：容器
２０：第１の移送手段
２２：受け部材
２４：傾倒手段
６０：第２の移送手段
６２：大出し口
６４：主投入コンベヤ
６６：小出し口
６８：副投入コンベヤ
７０：横引きコンベヤ
７２：主秤量機
７４：副秤量機
８０：制御手段
８２：コンピュータ
８４：傾倒手段の制御盤
８６：第２の移送経路の制御盤
【図１】
0005760420.tif 000004
【図２】
0005760420.tif 000005
【図３】
0005760420.tif 000006
【図４】
0005760420.tif 000007
【図５】
0005760420.tif 000008